(57)【要約】      （修正有）【課題】レッグ開口部側からサイドシール部を容易に引き裂くことができ、着用者から取り外す際の手間や時間を削減可能なパンツ型吸収性物品を提供する。【解決手段】本考案のパンツ型吸収性物品は、腹側部Ａの両側縁部と背側部Ｂの両側縁部とが接合されて一対のサイドシール部４が形成されている。腹側部Ａの側部Ｓを形成する部材及び背側部Ｂの側部Ｓを形成する部材の何れか一方が、サイドシール部４より下方に延出する延出部２１ｂを有する延出部材２Ｂであり、他方は、延出部を有しない非延出部材２Ａである。非延出部材２Ａは、サイドシール部の下端４ｄから幅２ｃｍ以内の範囲に、シートが２層以上に積層された多層領域４０と、多層領域４０の下方に位置し、多層領域４０よりもシートの積層枚数が少ない少層領域４１とを有しており、少層領域４１が、サイドシール部４に隣接する部位における非延出部材２Ａの下端を形成している。【選択図】図５
0003210618.tif 000002
【実用新案登録請求の範囲】
【請求項１】
着用者の腹側に配される腹側部、着用者の股間部に配される股下部及び着用者の背側に配される背側部を備え、腹側部の両側縁部と背側部の両側縁部とが接合されて、一対のサイドシール部が形成されているパンツ型吸収性物品であって、
腹側部の側部を形成する部材及び背側部の側部を形成する部材の何れか一方が、サイドシール部より下方に延出する延出部を有する延出部材であり、他方は、サイドシール部より下方に延出する延出部を有しない非延出部材であり、
前記非延出部材は、サイドシール部の下端から幅２ｃｍ以内の範囲に、シートが２層以上に積層された多層領域と、該多層領域の下方に位置し、該多層領域よりもシートの積層枚数が少ない少層領域とを有しており、該少層領域が、サイドシール部に隣接する部位における該非延出部材の下端を形成している、パンツ型吸収性物品。
【請求項２】
背側部の側部を形成する部材が、前記延出部材であり、腹側部の側部を形成する部材が、前記非延出部材である、請求項１に記載のパンツ型吸収性物品。
【請求項３】
前記少層領域は、シートの積層枚数が１枚である、請求項１又は２に記載のパンツ型吸収性物品。
【請求項４】
前記非延出部材の破断強度が、前記延出部材の破断強度よりも弱い、請求項１〜３の何れか１項に記載のパンツ型吸収性物品。
【請求項５】
着用者の腹側に配される腹側シート部材と、着用者の背側に配される背側シート部材と、腹側シート部材及び背側シート部材に架け渡して固定された吸収性本体とを具備し、腹側シート部材の両側縁部と背側シート部材の両側縁部とが接合されて、前記一対のサイドシール部が形成されており、
腹側シート部材が、腹側部の側部を形成する部材であり、背側シート部材が、背側部の側部を形成する部材である、請求項１〜４の何れか１項に記載のパンツ型吸収性物品。
【請求項６】
前記少層領域には、弾性部材が配されていない、請求項１〜５の何れか１項に記載のパンツ型吸収性物品。
【請求項７】
前記非延出部材は、腹側部又は背側部の側部を形成する部分の下端部に非弾性化領域を有しており、
前記非弾性化領域は、その領域自体には、腹側部又は背側部を幅方向に伸縮させる弾性部材が配されていないが、前記サイドシール部を挟んで相対向する、前記延出部材側の対応領域には、背側部又は腹側部を幅方向に伸縮させる弾性部材が配されている領域である、請求項１〜６の何れか１項に記載のパンツ型吸収性物品。
【請求項８】
前記少層領域が、前記非弾性化領域の一部を構成しており、前記サイドシール部を挟んで該少層領域と相対向する、前記延出部材側の対応領域に、前記弾性部材が配されている、請求項７に記載のパンツ型吸収性物品。 
【考案の詳細な説明】
【技術分野】
【０００１】
本考案は、パンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されて、一対のサイドシール部、ウエスト開口部及び一対のレッグ開口部が形成されているパンツ型吸収性物品が知られている。
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが一対のサイドシール部において接合されているパンツ型吸収性物品が知られている（例えば、特許文献１参照）
【０００３】
このようなパンツ型吸収性物品は、廃棄する目的で脱がす際に、サイドシール部をおむつの縦方向に引き裂くが、従来のパンツ型吸収性物品においては、サイドシール部を引き裂くことが必ずしも容易ではない場合があった。
【先行技術文献】
【特許文献】
【０００４】
【特許文献１】特表２００８−５０８０８２号公報
【考案の概要】
【考案が解決しようとする課題】
【０００５】
したがって本考案の課題は、前述した従来技術が有する欠点を解消し得るパンツ型吸収性物品を提供することにある。
【課題を解決するための手段】
【０００６】
本考案は、着用者の腹側に配される腹側部、着用者の股間部に配される股下部及び着用者の背側に配される背側部を備え、腹側部の両側縁部と背側部の両側縁部とが接合されて、一対のサイドシール部が形成されているパンツ型吸収性物品であって、腹側部の側部を形成する部材及び背側部の側部を形成する部材の何れか一方が、サイドシール部より下方に延出する延出部を有する延出部材であり、他方は、サイドシール部より下方に延出する延出部を有しない非延出部材であり、前記非延出部材は、サイドシール部の下端から幅２ｃｍ以内の範囲に、シートが２層以上に積層された多層領域と、該多層領域の下方に位置し、該多層領域よりもシートの積層枚数が少ない少層領域とを有しており、該少層領域が、サイドシール部に隣接する部位における該非延出部材の下端を形成している、パンツ型吸収性物品を提供するものである。
【考案の効果】
【０００７】
本考案のパンツ型吸収性物品によれば、レッグ開口部側からサイドシール部を容易に引き裂くことができ、着用者から取り外す際の手間や時間を削減可能である。
【図面の簡単な説明】
【０００８】
【図１】図１は、本考案の一実施形態であるパンツ型使い捨ておむつの使用状態（着用状態）を示す斜視図である。
【図２】図２は、図１に示すパンツ型使い捨ておむつの展開且つ伸長状態を示す一部破断平面図である。展開且つ伸長状態とは、おむつの両側部に存する接合部（サイドシール部）を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの腹側部側をおむつ外面側から見た伸長状態の一部破断拡大図である。
【図４】図４は、図１に示すパンツ型使い捨ておむつの背側部側をおむつ外面側から見た伸長状態の一部破断拡大図である。
【図５】図５は、図１に示すパンツ型使い捨ておむつのサイドシール部及びその両側部分を、おむつ内面側から見た状態を示す模式図である。
【図６】図６は、本考案の他の実施形態の要部を示す図（図５相当図）である。
【図７】図７は、本考案の更に他の実施形態の要部を示す図（図５相当図）である。
【図８】図８は、図１に示すパンツ型使い捨ておむつにおける各伸縮部のおむつ幅方向に沿う断面を示す図であり、（ａ）は、弾性部材を伸長させて襞をなくした状態、（ｂ）は弾性部材が収縮して襞が形成されている状態を示す図である。
【考案を実施するための形態】
【０００９】
以下、本考案のパンツ型吸収性物品を、その好ましい実施形態に基づき図面を参照しながら説明する。
本考案の一実施形態であるパンツ型使い捨ておむつ１（以下、単におむつ１ともいう）は、図１に示すように、着用時に、着用者の腹側に配される腹側部Ａと、着用者の背側に配される背側部Ｂと、腹側部Ａと背側部Ｂとの間に位置し、着用者の股間部に配される股下部Ｃを有しており、腹側部Ａの両側縁部と背側部Ｂの両側縁部とが接合されて、一対のサイドシール部４，４、ウエスト開口部５及び一対のレッグ開口部６，６が形成されている。
【００１０】
より具体的には、図１及び図２に示すように、腹側シート部材２Ａと、着用者の背側に配される矩形状の背側シート部材２Ｂと、腹側シート部材２Ａ及び背側シート部材２Ｂに架け渡して固定された吸収性本体３とを具備し、腹側シート部材２Ａの両側縁部２ａ，２ａと背側シート部材２Ｂの両側縁部２ｂ，２ｂとが接合されて、前記一対のサイドシール部４，４が形成されている。即ち、腹側シート部材２Ａが、腹側部Ａを形成する部材であると同時に、腹側部Ａの側部を形成する部材であり、背側シート部材２Ｂが、背側部Ｂを形成する部材であると同時に、背側部Ｂの側部を形成する部材である。
【００１１】
また、おむつ１においては、図１及び図２に示すように、背側部Ｂの側部Ｓを形成する部材である背側シート部材２Ｂが、サイドシール部４より下方に出する延出部２１ｂを有する延出部材であり、腹側部Ａの側部Ｓを形成する部材である腹側シート部材２Ａが、サイドシール部４よりも下方に延出する延出部を有しない非延出部材である。腹側部Ａ又は背側部Ｂの側部Ｓは、例えば、腹側部Ａ又は背側部Ｂの側縁端から連続する幅Ｗ１が、腹側部Ａ又は背側部Ｂの側縁端から吸収性本体３の側縁３ｃまでの幅Ｗ２の１００％以下の範囲であり、好ましくは５０％以下の範囲であり、より好ましくは２０％以下の範囲である（図３参照）。
【００１２】
なお、本明細書において、おむつ長手方向（物品長手方向）は、腹側部Ａから股下部Ｃを経て背側部Ｂに亘る方向又はその逆方向（図２中Ｘ方向）であり、おむつ幅方向（物品幅方向）は、着用者の胴回り方向に沿う方向であり、物品長手方向と交差する方向（図２中Ｙ方向）である。以下、おむつ長手方向（物品長手方向）を単にＸ方向、おむつ幅方向（物品幅方向）を単にＹ方向ともいう。
【００１３】
以下、本実施形態のおむつ１について、より具体的に説明する。
腹側シート部材２Ａは、図２に示すように、Ｘ方向の長さＬａが、サイドシール部４の長さＬ４と同じであり、腹側シート部材２Ａは、左右両側にサイドシール部４，４を有する本体部２０ａを有する一方、本体部２０ａから股下部Ｃ側に延出する延出部を有していない。
他方、背側シート部材２Ｂは、図２に示すように、Ｘ方向の長さＬｂが、サイドシール部４の長さＬ４よりも長く、それによって、左右両側にサイドシール部４，４を有する本体部２０ｂと、本体部２０ｂから股下部Ｃ側に延出し、左右両側にサイドシール部４，４を有しない延出部２１ｂとが形成されている。
以下、腹側シート部材２Ａ（本体部２０ａ）を、腹側本体部２０ａともいい、背側シート部材２Ｂの本体部２０ｂ及び延出部２１ｂを、背側本体部２０ｂ及び背側延出部２１ｂともいう。
【００１４】
おむつ１の吸収性本体３は、図２に示すように、液透過性の表面シート３１、液不透過性又は撥水性の裏面シート３２、及び両シート３１、３２間に介在配置された液保持性の吸収体３３を有しており、Ｘ方向に長い長方形状に形成されている。吸収体３３は、パルプ繊維等の繊維の集合体（不織布であっても良い）からなる吸収性コア又はこれに吸水性ポリマーの粒子を保持させてなる吸収性コアと、吸収性コアを被覆するティッシュペーパーや不織布等からなるコアラップシートからなる。吸収体３３も、Ｘ方向に長い長方形状に形成されている。吸収体３３は、長手方向の両側に、吸収性コアの形成材料が存在しないか又は該形成材料の坪量が他の部分より少ない低剛性部３３ｄを有している。
【００１５】
吸収性本体３の長手方向の両側部には、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１の着用中には、側方カフス弾性部材３５が収縮することにより側方カフス３４が起立し、吸収性本体３から幅方向外方への液の流出が阻止される。表面シート３１、裏面シート３２、及び吸収体３３の吸収性コアやコアラップシートとしては、それぞれ、この種の吸収性物品に従来用いられているものと同様のものを用いることができる。吸収性本体３の外側には、裏面シート３２に重ねて、不織布やフィルム等の外装シートを配することもできる。
【００１６】
腹側シート部材２Ａは、おむつ１の展開且つ伸長状態（図２参照）において、横長の長方形状をなしており、Ｘ方向に沿う左右一対の側縁部２ａ，２ａと、それぞれＹ方向に沿う上縁部２ｃ及び下縁部２ｄを有している。背側シート部材２Ｂも、同様に、おむつ１の展開且つ伸長状態（図２参照）において、横長の長方形状をなしており、Ｘ方向に沿う左右一対の側縁部２ｂ，２ｂと、Ｙ方向に沿う上縁部２ｃ及び下縁部２ｄを有している。腹側シート部材２Ａと背側シート部材２Ｂは、図２に示すように、Ｘ方向の長さがＹ方向において均一である。
【００１７】
そして、腹側シート部材２Ａの側縁部２ａと、背側シート部材２Ｂの側縁部２ｂ（詳細には、その一部である接合部２ｂ’）とが接合されていることによって、おむつ１に、前述した一対のサイドシール部４，４が形成されている。この接合には、例えばヒートシール、超音波シール、接着剤等の公知の接合手段が用いられる。また、この接合によって、サイドシール部４，４と共に、ウエスト開口部５及び一対のレッグ開口部６，６が形成されている。
【００１８】
吸収性本体３は、長手方向の一端側（腹側シート部材２Ａと重なっている部分）が、腹側シート部材２ＡのＹ方向の中央領域に接着剤を介して固定され、長手方向の他端側（背側シート部材２Ｂと重なっている部分）が、背側シート部材２ＢのＹ方向の中央領域に接着剤を介して固定されている。
【００１９】
おむつ１における腹側シート部材２Ａ及び背側シート部材２Ｂは何れも、図３及び図４に示すように、おむつの外面をなす外層シート２２と、外層シート２２の内面側に配された内層シート２３と、両シート２２，２３間に配された複数本の糸状の弾性部材２４とを備えており、腹側本体部２０ａ及び背側本体部２０ｂに、それぞれ、ウエスト伸縮部Ｇ１及び胴回り伸縮部Ｇ２が形成され、背側延出部２１ｂに、延出部伸縮部Ｇ３が形成されている。
【００２０】
ウエスト伸縮部Ｇ１は、腹側シート部材２Ａ及び背側シート部材２Ｂのそれぞれにおいて、Ｘ方向における、吸収性本体３の長手方向の端部３ａ，３ｂより外方に形成されている。胴回り伸縮部Ｇ２は、腹側本体部２０ａ及び背側本体部２０ｂのそれぞれにおいて、Ｘ方向におけるウエスト伸縮部Ｇ１より下方に形成されている。延出部伸縮部Ｇ３は背側延出部２１ｂに形成されている。胴回り伸縮部Ｇ２及び延出部伸縮部Ｇ３は、それぞれ、Ｙ方向における、少なくとも、吸収性本体３の両側縁３ｃ，３ｃそれぞれより外方に位置する部分に形成されている。
【００２１】
おむつ１においては、図３及び図４に示すように、ウエスト伸縮部Ｇ１は、腹側シート部材２Ａ又は背側シート部材２Ｂにおける側部接着領域２７，２７間の全域に亘って伸縮性を発現するように形成されており、他方、胴回り伸縮部Ｇ２及び延出部伸縮部Ｇ３は、吸収性本体３の両側縁の外方においては伸縮性を発現し、吸収性本体３と重なる部分、特に吸収性本体３の幅方向中央部と重なる部分において伸縮性を発現しないように、おむつ１の左右に分割された状態に形成されている。
【００２２】
腹側本体部２０ａ、背側本体部２０ｂ、及び背側延出部２１ｂには、それぞれ、複数本の弾性部材２４が、それぞれおむつ幅方向に沿って延びるように、且つおむつの長手方向に間隔を開けて伸長状態で配されている。
【００２３】
おむつ１における腹側シート部材２Ａは、図５に示すように、サイドシール部４の下端４ｄから幅２ｃｍ以内の範囲に、シートが２層以上に積層された多層領域４０と、該多層領域４０の下方に位置し、該多層領域４０よりもシートの積層枚数が少ない少層領域４１とを有している。より具体的には、多層領域４０においては、外層シート２２及び内層シート２３の２枚のシートが積層されており、少層領域４１は、内層シート２３の下端２３ｂから延出した１枚の外層シート２２のみからなる。そして、その少層領域４１が、サイドシール部４に隣接する部位における腹側シート部材２Ａ（非延出部材）の下端となる下縁部２ｄを形成している。
なお、サイドシール部４の下端４ｄから幅２ｃｍ以内の範囲に、多層領域４０及び少層領域４１と有するとした理由は、腹側シート部材２Ａ（非延出部材）の下端から多層領域４０までの距離が離れすぎると、サイドシール部４を引き裂く際に、力が集中しにくくなり、また、少層領域４１の破断が多層領域４０に伝わりにくくなるためである。
【００２４】
本実施形態のおむつ１は、通常のパンツ型使い捨ておむつと同様にして着用することができ、着用後には、サイドシール部を引き裂くことによって、容易に着用者から取り外すことができる。
本実施形態のおむつ１によれば、上述したように、背側シート部材２Ｂのみがサイドシール部４の下端よりも延出し、背側シート部材２Ｂと腹側シート部材２Ａとの間に段差がある上に、非延出部材である腹側シート部材２Ａの、サイドシール部４に隣接する部位の下端が上述した少層領域４１から形成されているため、着用後に、腹側部Ａ側及び背側部Ｂ側を手で掴んで、サイドシール部４を、レッグ開口部６側から引き裂く際に、その力が、サイドシール部４に隣接する少層領域４１に加わり易い上に、シートの積層枚数が少ない少層領域４１が容易に破断する。これにより、サイドシール部４を引き裂くための最初の力が少なくて済む上に、少層領域４１の破断が、きっかけとなってサイドシール部４の全体を引き裂くことも容易となる。
このように、本実施形態のおむつ１によれば、レッグ開口部６側からサイドシール部４を容易に引き裂くことができ、廃棄時に要する手間や時間を削減可能である。
【００２５】
斯かる効果が一層確実に奏されるようにする観点から、少層領域４１のシートの積層枚数は１枚であることが好ましく、多層領域４０における少層領域４１に隣接する部位におけるシートの積層枚数は、少層領域４１よりも１枚多い枚数であることが一層好ましい。
同様の観点から、図５に示すように、少層領域４１には、弾性部材２４が配されていないことが好ましい。
【００２６】
また、同様の観点から、少層領域４１のおむつ（物品）長手方向Ｘに沿う長さＬ３は、好ましくは２ｍｍ以上、より好ましくは５ｍｍ以上であり、また、サイドシール部４の引き裂きやすさの観点から、好ましくは１５ｍｍ以下、より好ましくは１０ｍｍ以下であり、また、好ましくは２ｍｍ以上１５ｍｍ以下、より好ましくは５ｍｍ以上１０ｍｍ以下である。
【００２７】
また、本実施形態のように、背側シート部材２Ｂに延出部２１ｂを設け、腹側シート部材２Ａに少層領域４１を設けることは、腹側シート部材２Ａに延出部を設け、背側シート部材２Ｂに少層領域を設ける場合に比べ、着用中に膝を曲げたときなどにも延出部がめくれにくくなる。また、めくれ上がることによって廃棄時に少層領域がつまみにくくなることも防止できる。
【００２８】
また、サイドシール部を引き裂く際に、少層領域４１を有する腹側シート部材２Ａ（非延出部材）側に生じた裂け目が、背側シート部材２Ｂ（延出部材）側に移動しにくく、連続してスムーズに引き裂くことができる観点から、腹側シート部材２Ａ（非延出部材）の破断強度が、背側シート部材２Ｂ（延出部材）の破断強度よりも弱いことが好ましい。
この破断強度の強弱は、少層領域４１に隣接する多層領域４０と、図５に示すようにサイドシール部４を挟んで、該多層領域４０と相対向する延出部材側の対応領域４０Ｍの破断強度を測定して比較する。各領域の破断強度の測定方法は、以下の通りである。
（破断強度の測定方法）
先ず、サイドシール部４に隣接する部位から、多層領域４０と該多層領域４０と相対向する延出部材側の対応領域４０Ｍとを、それぞれ、おむつの幅方向（Ｙ方向）の長さが５０ｍｍ、おむつの長手方向（Ｘ方向）の長さが３０ｍｍの長方形状に切り出して、サンプルシートを得る。得られたサンプルシートをテンシロン引っ張り試験機（オリエンテック社製、商品名「ＲＴＡ−１００」）のチャック間（チャック間距離２０ｍｍ）に把持させ、次いで、サンプルシートのＹ方向に向けて、引張速度３００ｍｍ／ｍｉｎで引張り、破断したときの強度を測定し、これを破断強度とする。尚、測定値は、上記サンプルシートを測定した５点平均により算出する。
【００２９】
少層領域４１に隣接する多層領域４０の破断強度は、好ましくは３０Ｎ／３０ｍｍ以上、より好ましくは５０Ｎ／３０ｍｍ以上、また、好ましくは７０Ｎ／３０ｍｍ以下、より好ましくは６０Ｎ／３０ｍｍ以下であり、より具体的には、好ましくは３０Ｎ／３０ｍｍ以上７０Ｎ／３０ｍｍ以下、より好ましくは５０Ｎ／３０ｍｍ以上６０Ｎ／３０ｍｍ以下である。
また、少層領域４１に隣接する多層領域４０の破断強度と、該多層領域４０と相対向する延出部材側の対応領域４０Ｍの破断強度との差は、好ましくは１０Ｎ／３０ｍｍ以上、より好ましくは２０Ｎ／３０ｍｍ以上、また、好ましくは５０Ｎ／３０ｍｍ以下、より好ましくは４０Ｎ／３０ｍｍ以下であり、より具体的には、好ましくは１０Ｎ／３０ｍｍ以上５０Ｎ／３０ｍｍ以下、より好ましくは２０Ｎ／３０ｍｍ以上４０Ｎ／３０ｍｍ以下である。
【００３０】
また、本実施形態のおむつ１の腹側シート部材２Ａ（非延出部材）は、図５に示すように、腹側部Ａの側部を形成する部分の下端部に非弾性化領域４２を有している。
非弾性化領域４２とは、その領域自体には弾性部材２４が配されていないが、サイドシール部４を挟んで相対向する、延出部材（本実施形態では背側シート部材２Ｂ）側の対応領域４２Ｍには弾性部材２４が配されている領域である。また、非弾性化領域４２は、非延出部材（本実施形態では腹側シート部材２Ａ）の下端から連続して存在する領域であり、弾性部材２４間の領域は、非弾性化領域４２ではない。弾性部材２４は、腹側部又は背側部に、物品横方向（Ｙ方向）の伸縮性を付与する弾性部材であり、通常、物品横方向（Ｙ方向）に沿って配されている弾性部材である。
【００３１】
非弾性化領域４２は、非延出部材（本実施形態では腹側シート部材２Ａ）の下端からの幅Ｗ３（図５参照、物品長手方向Ｘにおける長さ）が、好ましくは１０ｍｍ以上、より好ましくは１５ｍｍ以上であり、好ましくは３０ｍｍ以下、より好ましくは２５ｍｍ以下であり、より具体的には、好ましくは１０ｍｍ以上３０ｍｍ以下、より好ましくは１５ｍｍ以上２５ｍｍ以下である。
【００３２】
また、腹側シート部材２Ａ（非延出部材）に、斯かる非弾性化領域４２を形成することによって、着用後のおむつのサイドシール部を引き裂く際に、サイドシール部４の下端４ｄの近傍を摘まみやすくなるため、サイドシール部を引き裂くことが一層容易となる。即ち、弾性部材が配されていないことで、非弾性化領域４２におけるシートが身体に密着せず、浮いた状態なのでつまみやすく持ちやすくなる。
【００３３】
しかも、本実施形態のおむつ１における腹側シート部材２Ａ（非延出部材）においては、図５に示すように、前述した少層領域４１が非弾性化領域４２の一部を構成しており、サイドシール部４を挟んで該少層領域４１と相対向する、延出部材側（本実施形態では背側シート部材２Ｂ）の対応領域４１Ｍに前記弾性部材２４が配されている。
少層領域４１をつまんでサイドシール部４側とは反対方向に引っ張り引裂く場合、少層領域４１に対応する対応領域４１Ｍが弾性部材の収縮により反対方向に引っ張られていると、引き裂き開始時に引裂き力を軽減させることができる。少層領域４１に対応する部分に弾性部材がないと、引き裂きの時に一緒に引っ張られて引き裂きにくくなる場合がある。
【００３４】
図６及び図７は、本考案の他の実施形態のパンツ型使い捨ておむつにおける図５相当図である。図６及び図７に示す実施形態によっても、腹側シート部材２Ａ（非延出部材）に非弾性化領域４２を有することによる上記の効果が奏され、図７に示す実施形態によっても、少層領域４１が相対向する延出部材側（背側シート部材２Ｂ）の対応領域４１Ｍに弾性部材２４を有することによる上記の効果が奏される。
図６及び図７に示す実施形態に関し、特に説明しない点は、上述したおむつ１と同様であり、同様の構成要素には同様の符号を付して説明を省略する。
【００３５】
上述した実施形態のおむつ１について、図３、図４及び図８を参照して更に説明すると、腹側シート部材２Ａ及び背側シート部材２Ｂの伸縮部Ｇ１〜Ｇ３の何れにおいても、外層シート２２と内層シート２３との間が、散点状に形成された多数の融着部（接合部）２６において接合されており、弾性部材２４が、それらの融着部２６を通らないように配されている。
より具体的には、伸縮部Ｇ１〜Ｇ３には、Ｘ方向に接合部２６が間欠的に直列配置されてなる接合部列が、Ｙ方向に複数列形成されており、それらの接合部列における各接合部のＸ方向が一致している。
そして、腹側シート部材２Ａ及び背側シート部材２Ｂの伸縮部Ｇ１〜Ｇ３の何れにおいても、複数本の弾性部材２４が、それぞれ、Ｘ方向において隣り合う接合部２６間を通るように配されている。また、各弾性部材２４は、後述する側部接着領域２７又は吸収性本体側接着領域２８においてシート２２，２３間に固定されている一方、それ以外の部位においては、シート２２，２３の何れにも固定されていない。
【００３６】
腹側シート部材２Ａは、図３に示すように、腹側シート部材の両側縁部２ａ，２ａ又はその近傍に、外層シート２２と内層シート２３との間が接着剤を介して接合された側部接着領域２７を有している。また、腹側シート部材２Ａは、側部接着領域２７よりおむつ幅方向中央側に、外層シート２２と内層シート２３との間が接着剤を介して接合された吸収性本体側接着領域２８を有している。
背側シート部材２Ｂは、図４に示すように、背側シート部材の両側縁部２ｂ，２ｂ又はその近傍に、外層シート２２と内層シート２３との間が接着剤を介して接合された側部接着領域２７を有している。また、背側シート部材２Ｂも、側部接着領域２７よりおむつ幅方向中央側に、外層シート２２と内層シート２３との間が接着剤を介して接合された吸収性本体側接着領域２８を有している。
【００３７】
そして、腹側シート部材２Ａ及び背側シート部材２Ｂの何れにおいても、ウエスト伸縮部Ｇ１に配された弾性部材２４は、一対の側部接着領域２７それぞれにおいてシート２２，２３間に固定されている一方、側部接着領域２７間においては、シート２２，２３の何れにも固定されていない。他方、腹側シート部材２Ａ及び背側シート部材２Ｂの何れにおいても、胴回り伸縮部Ｇ２又は延出部伸縮部Ｇ３に配された弾性部材２４は、側部接着領域２７及び吸収性本体側接着領域２８のそれぞれにおいてシート２２，２３間に固定されている一方、側部接着領域２７と吸収性本体側接着領域２８との間においては、シート２２，２３の何れにも固定されていない。吸収性本体側接着領域２８は、図３及び図４に示すように、おむつ幅方向外側の端が、吸収性本体３の側縁３ｃの位置よりおむつ幅方向の内側（中央側）に位置するように形成されているが、これに代えて、吸収性本体３の側縁３ｃの内外に亘るように形成したり、吸収性本体３の側縁３ｃよりおむつ幅方向の外方に形成することもできる。
【００３８】
ウエスト伸縮部Ｇ１，胴回り伸縮部Ｇ２及び延出部伸縮部Ｇ３においては、弾性部材２４が収縮することにより、隣接する接合部列間のシート２２及び２３が外方に膨らむように変形して、隣接する接合部列間にシート２２又はシート２３からなる襞２９が生じると共に、両シート２２，２３間には、襞２９と襞２９とに周囲を囲まれた中空部３０が形成される（図８参照）。
【００３９】
背側延出部２１ｂの長さＬ６（図２参照）は、背側シート部材２Ｂの長さＬｂ（図２参照）の５〜６０％、特に２０〜４０％であることが好ましい。また、幼児用のおむつの場合、背側延出部２１ｂの長さＬ６は、１０〜１００ｍｍであることが好ましく、より好ましくは２０〜６０ｍｍである。成人用のおむつの場合、背側延出部２１ｂの長さＬ６は、１０〜１５０ｍｍであることが好ましく、より好ましくは２０〜１００ｍｍである。腹側シート部材（腹側部）側を、サイドシール部４の下方に延出させる場合の延出部の好ましい長さや割合も同様である。
【００４０】
なお、上述した実施形態のおむつ１における、外層シート２２及び内層シート２３は、ウエスト開口部の開口周縁端をなす上縁部２ｃにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート３１側の面に接合されている。
【００４１】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４２】
以上、本考案をその好ましい実施形態に基づき説明したが、本考案は上述した実施形態に制限されず適宜変更可能である。
例えば、本考案におけるパンツ型吸収性物品は、腹側部、股下部及び背側部に亘る連続した砂時計状の外包材と、該外包材の内面側に固定された吸収性本体とを備え、腹側部における外包材の両側縁部と背側部における外包材の両側縁部とが接合されて、一対のサイドシール部、ウエスト開口部及び一対のレッグ開口部が形成されているパンツ型吸収性物品であっても良い。即ち、腹側部の側部を形成する部材及び背側部の側部を形成する部材は、連続する部材の２つの部分であっても良い。
【００４３】
また、上述したおむつ１にように、背側シート部材２Ｂ（背側部の側部を形成する部材）をサイドシール部４より下方に延出する延出部を有する延出部材とし、腹側シート部材２Ａ（腹側部の側部を形成する部材）をサイドシール部４より下方に延出する延出部を有しない非延出部材とするのに代えて、腹側シート部材２Ａ（腹側部の側部を形成する部材）をサイドシール部４より下方に延出する延出部を有する延出部材とし、背側シート部材２Ｂ（背側部の側部を形成する部材）をサイドシール部４より下方に延出する延出部を有しない非延出部材としても良い。
【００４４】
また、少層領域４１は、内層シート２３の下端２３ｂから延出した外層シート２２からなるものに代えて、外層シート２２の下端から延出した内層シート２３からなるものであっても良い。また、少層領域４１は、シートの積層枚数が２枚以上であっても良い。また、外層シート２２及び内層シート２３は、何れか一方又は双方が、前述した延出折り返し部２２ａ，２３ａを有していなくても良い。
【００４５】
また、腹側シート部材２Ａと背側シート部材２Ｂは、それぞれ、弾性部材２４と重ならないように形成されたドット状の接合部２６を有するものに代えて、おむつ外面をなす外層シート２２とその内側に配された内層シート２３とが全域において接着された構造を有するものであっても良い。また、ウエスト伸縮部Ｇ１、胴回り伸縮部Ｇ２、延出部伸縮部Ｇ３は、それぞれ、その全体又は一部が、おむつ外面をなす外層シート２２とその内側に配された内層シート２３とが全域において接着された構造を有するものであっても良い。また、胴回り伸縮部Ｇ２を、腹側シート部材２Ａ及び／又は背側シート部材２Ｂの全幅に亘るように形成しても良く、延出部伸縮部Ｇ３も、腹側シート部材２Ａ及び／又は背側シート部材２Ｂの全幅に亘るように形成しても良い。
【００４６】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していてもよい。
【００４７】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４８】
上述した実施形態に関し、本考案はさらに以下のパンツ型吸収性物品を開示する。
＜１＞
着用者の腹側に配される腹側部、着用者の股間部に配される股下部及び着用者の背側に配される背側部を備え、腹側部の両側縁部と背側部の両側縁部とが接合されて、一対のサイドシール部が形成されているパンツ型吸収性物品であって、
腹側部の側部を形成する部材及び背側部の側部を形成する部材の何れか一方が、サイドシール部より下方に延出する延出部を有する延出部材であり、他方は、サイドシール部より下方に延出する延出部を有しない非延出部材であり、
前記非延出部材は、サイドシール部の下端から幅２ｃｍ以内の範囲に、シートが２層以上に積層された多層領域と、該多層領域の下方に位置し、該多層領域よりもシートの積層枚数が少ない少層領域とを有しており、該少層領域が、サイドシール部に隣接する部位における該非延出部材の下端を形成している、パンツ型吸収性物品。
【００４９】
＜２＞
前記少層領域の物品長手方向Ｘに沿う長さＬ３は、好ましくは２ｍｍ以上、より好ましくは５ｍｍ以上であり、好ましくは２０ｍｍ以下、より好ましくは１５ｍｍ以下である、前記＜１＞に記載のパンツ型吸収性物品。
＜３＞
背側部の側部を形成する部材が、前記延出部材であり、腹側部の側部を形成する部材が、前記非延出部材である、前記＜１＞又は＜２＞に記載のパンツ型吸収性物品。
＜４＞
前記少層領域は、シートの積層枚数が１枚である、前記＜１＞〜＜３＞の何れか１に記載のパンツ型吸収性物品。
＜５＞
前記多層領域における、前記少層領域に隣接する部位のシートの積層枚数は、前記少層領域よりも１枚多い枚数である、前記＜１＞〜＜４＞の何れか１に記載のパンツ型吸収性物品。
＜６＞
前記非延出部材の破断強度が、前記延出部材の破断強度よりも弱い、前記＜１＞〜＜５＞の何れか１に記載のパンツ型吸収性物品。
＜７＞
前記少層領域には、弾性部材が配されていない、前記＜１＞〜＜６＞の何れか１に記載のパンツ型吸収性物品。
＜８＞
前記非延出部材は、腹側部又は背側部の側部を形成する部分の下端部に非弾性化領域を有しており、
前記非弾性化領域は、その領域自体には、腹側部又は背側部を幅方向に伸縮させる弾性部材が配されていないが、前記サイドシール部を挟んで相対向する、前記延出部材側の対応領域には、背側部又は腹側部を幅方向に伸縮させる弾性部材が配されている領域である、前記＜１＞〜＜７＞の何れか１に記載のパンツ型吸収性物品。
＜９＞
前記少層領域が、前記非弾性化領域の一部を構成しており、前記サイドシール部を挟んで該少層領域と相対向する、前記延出部材側の対応領域に、前記弾性部材が配されている、前記＜８＞に記載のパンツ型吸収性物品。
【００５０】
＜１０＞
着用者の腹側に配される腹側シート部材と、着用者の背側に配される背側シート部材と、腹側シート部材及び背側シート部材に架け渡して固定された吸収性本体とを具備し、腹側シート部材の両側縁部と背側シート部材の両側縁部とが接合されて、前記一対のサイドシール部が形成されており、
腹側シート部材が、腹側部の側部を形成する部材であり、背側シート部材が、背側部の側部を形成する部材である、前記＜１＞〜＜９＞の何れか１に記載のパンツ型吸収性物品。
＜１１＞
前記吸収性本体は、液透過性の表面シート、液不透過性又は撥水性の裏面シート、及び両シート間に介在配置された液保持性の吸収体を有しており、物品長手方向に長い長方形状に形成されている、前記＜１０＞に記載のパンツ型吸収性物品。
＜１２＞
前記吸収体は、物品長手方向に長い長方形状に形成されており、該吸収体は、その長手方向の両側に、吸収性コアの形成材料が存在しないか又は該形成材料の坪量が他の部分より少ない低剛性部を有している、前記＜１０＞又は＜１１＞に記載のパンツ型吸収性物品。
＜１３＞
前記吸収性本体の長手方向の両側部には、液抵抗性ないし撥水性で且つ通気性の素材から構成された側方カフスが形成されている、前記＜１０＞〜＜１２＞の何れか１に記載のパンツ型吸収性物品。
【００５１】
＜１４＞
腹側シート部材が非延出部材であり、
腹側シート部材は、左右両側にサイドシール部を有する腹側本体部を有し、前記背側シート部材は、左右両側にサイドシール部を有する背側本体部と、該背側本体部から股下部側に延出し、左右両側にサイドシール部を有しない背側延出部とを有している、前記＜１０＞〜＜１３＞の何れか１に記載のパンツ型吸収性物品。
＜１５＞
前記腹側本体部、前記背側本体部、及び前記背側延出部には、それぞれ、複数本の弾性部材が、それぞれ物品幅方向に沿って延びるように、且つ物品長手方向に間隔を開けて伸長状態で配されている、前記＜１４＞に記載のパンツ型吸収性物品。
＜１６＞
腹側シート部材及び背側シート部材は何れも、おむつの外面をなす外層シートと、該外層シートの内面側に配された内層シートと、これら両シート間に配された複数本の糸状の弾性部材とを備えており、
前記腹側本体部及び前記背側本体部に、それぞれ、ウエスト伸縮部及び胴回り伸縮部が形成され、前記背側延出部に、延出部伸縮部が形成されている、前記＜１４＞又は＜１５＞に記載のパンツ型吸収性物品。
＜１７＞
前記ウエスト伸縮部は、腹側シート部材及び背側シート部材のそれぞれにおいて、物品長手方向における、吸収性本体の長手方向の端部より外方に形成されており、前記胴回り伸縮部は、前記腹側本体部及び前記背側本体部のそれぞれにおいて、物品長手方向における前記ウエスト伸縮部より下方に形成されている、前記＜１６＞に記載のパンツ型吸収性物品。
＜１８＞
前記胴回り伸縮部及び前記延出部伸縮部は、それぞれ、物品幅方向における、少なくとも、吸収性本体の両側縁それぞれより外方に位置する部分に形成されている、前記＜１６＞又は＜１７＞に記載のパンツ型吸収性物品。
＜１９＞
前記ウエスト伸縮部は、腹側シート部材又は背側シート部材における側部接着領域間の全域に亘って伸縮性を発現するように形成されており、前記胴回り伸縮部及び前記延出部伸縮部は、前記吸収性本体の両側縁の外方においては伸縮性を発現し、該吸収性本体と重なる部分、好ましくは吸収性本体の幅方向中央部と重なる部分において伸縮性を発現しないように、パンツ型吸収性物品の左右に分割された状態に形成されている、前記＜１６＞〜＜１８＞の何れか１に記載のパンツ型吸収性物品。
【００５２】
＜２０＞
腹側シート部材及び背側シート部材の、前記ウエスト伸縮部、前記胴回り伸縮部及び前記延出部伸縮部においては、それぞれ、外層シートと内層シートとの間が、散点状に形成された多数の接合部（好ましくは融着部）において接合されており、弾性部材が、それらの接合部（好ましくは融着部）を通らないように配されている、前記＜１６＞〜＜１９＞の何れか１に記載のパンツ型吸収性物品。
＜２１＞
前記ウエスト伸縮部、前記胴回り伸縮部及び前記延出部伸縮部のそれぞれには、物品長手方向に前記接合部が間欠的に直列配置されてなる接合部列が、物品横方向に複数列形成されており、それらの接合部列における各接合部の物品長手方向の位置が一致している、前記＜２０＞に記載のパンツ型吸収性物品。
＜２２＞
腹側シート部材及び背側シート部材の、前記ウエスト伸縮部、前記胴回り伸縮部及び前記延出部伸縮部においては、複数本の弾性部材が、それぞれ、物品長手方向において隣り合う接合部間を通るように配されている、前記＜１６＞〜＜２１＞の何れか１に記載のパンツ型吸収性物品。
＜２３＞
前記弾性部材は、側部接着領域又は吸収性本体側接着領域においてシート間に固定されている一方、それ以外の部位においては、それらのシートの何れにも固定されていない、前記＜１＞〜＜２２＞の何れか１に記載のパンツ型吸収性物品。
＜２３＞
前記背側延出部の物品長手方向の長さＬ６は、前記背側シート部材の同方向の長さＬｂの５〜６０％であり、好ましくは２０〜４０％である、前記＜１４＞〜＜２２＞の何れか１に記載のパンツ型吸収性物品。
＜２４＞
パンツ型吸収性物品が、幼児用のおむつであり、前記延出部材の延出部又は前記背側延出部の長さＬ６が１０〜１００ｍｍであり、好ましくは２０〜６０ｍｍである、前記＜１〜＜２３＞の何れか１に記載のパンツ型吸収性物品。
＜２５＞
パンツ型吸収性物品が、成人用のおむつであり、前記延出部材の延出部又は前記背側延出部の長さＬ６が１０〜１５０ｍｍであり、好ましくは２０〜１００ｍｍである、前記＜１＞〜＜２３＞何れか１に記載のパンツ型吸収性物品。
【符号の説明】
【００５３】
１  パンツ型使い捨ておむつ（パンツ型吸収性物品）
２Ａ  腹側シート部材（腹側部の側部を形成する部材）
２０ａ  腹側本体部
２２  外層シート
２３  内層シート
２Ｂ  背側シート部材（背側部の側部を形成する部材）
２０ｂ  背側本体部
２１ｂ  延出部
２２  外層シート
２３  内層シート
２４  弾性部材
３  吸収性本体
３１  表面シート
３２  裏面シート
３３  吸収体
４  サイドシール部
４ｄ  下端
５  ウエスト開口部
６  レッグ開口部
４０  多層領域
４０Ｍ  多層領域の対応領域
４１  少層領域
４１Ｍ  少層領域の対応領域
４２  非弾性化領域
４２Ｍ  非弾性化領域の対応領域 
【図１】
0003210618.tif 000003
【図２】
0003210618.tif 000004
【図３】
0003210618.tif 000005
【図４】
0003210618.tif 000006
【図５】
0003210618.tif 000007
【図６】
0003210618.tif 000008
【図７】
0003210618.tif 000009
【図８】
0003210618.tif 000010